(57)【要約】【課題】誤操作を抑制するとともに、操作部の数を少なくする。【解決手段】撮影時においてズームボタン１５を操作することにより、撮影レンズ３の焦点距離を連続的に変更することができる。また、焦点距離が変更することにより、電子ビューファインダとしての液晶ディスプレイ（ＬＣＤ）に表示されている被写体の画像の倍率が変化する（焦点距離を長くすると、被写体が拡大されて表示され、焦点距離を短くすると、被写体が縮小されて表示される）。一方、既に記録されている画像を再生してＬＣＤに表示しているときに、ズームボタン１５を操作すると、表示されている再生画像の拡大または縮小が行われる。【選択図】図１
2005020786.tif 000002
【特許請求の範囲】
【請求項１】
被写体からの光を集光する集光手段と、
前記集光手段により集光された前記被写体からの光を受光し、電気信号に変換する光電変換手段と、
所定の画像データを記憶する記憶手段と、
前記光電変換手段により変換された電気信号に対応する前記被写体の画像、または、前記記録手段に記録されている画像データに対応する画像を表示する表示手段と、
前記集光手段の焦点距離を変更するときに操作され、かつ、前記記録手段に記録されている画像データに対応する画像を、拡大または縮小して前記表示手段に表示させるときに操作される操作手段と、
前記操作手段における操作に応じて、前記記録手段に記録されている画像データに対応する画像を拡大または縮小する拡大縮小手段と
を備えることを特徴とする情報処理装置。
【請求項２】
前記拡大縮小手段は、前記画像の画素値を補間し、前記画像を拡大する
ことを特徴とする請求項１に記載の情報処理装置。
【請求項３】
前記拡大縮小手段は、前記記録手段に記録されている画像データに対応する画像の他、前記光電変換手段により電気信号に変換された前記被写体の画像を拡大または縮小する
ことを特徴とする請求項１に記載の情報処理装置。
【発明の詳細な説明】
【技術分野】
【０００１】
本発明は、情報処理装置に関し、特に、被写体からの光を集光する集光部の焦点距離を変更するときに操作され、かつ、表示部に表示される画像を、拡大または縮小させるときに操作される操作部を有する情報処理装置に関する。
【背景技術】
【０００２】
電子回路の進歩に伴い、光電変換素子を利用し、撮影した画像を電気的に処理する電子カメラが普及している。
【０００３】
このような電子カメラは、液晶ディスプレイ（ＬＣＤ）を有していることが多い。ＬＣＤは、撮影時においてユーザに画像を呈示する所謂電子ビューファインダとして利用される他、撮影した画像を表示するときに利用される。
【０００４】
図１５および図１６は、このような従来の電子カメラ８１の一例を示している。この電子カメラ８１においては、撮影レンズ１０１を介して入射した被写体からの光を図示せぬ光電変換素子によって電気信号に変換し、さらにその電気信号をデジタル化し、画像データを生成する。
【０００５】
そして、その画像データをＬＣＤ１０６に表示することにより、ユーザは、被写体を確認することができる。
【０００６】
そして、ユーザによってレリーズスイッチ１０２が押されると、その時の被写体の画像が撮影され、その画像に対応する画像データが、内蔵する記憶部（図示せず）に記憶される。
【０００７】
また、焦点距離切り換えスイッチ１０７を操作して、撮影レンズ１０１の焦点距離を切り換えることにより、例えば、「標準（ＮＯＲＭＡＬ）」と「望遠（ＴＥＬＥ）」のいずれかを選択することができる。「望遠」に切り換えられた場合、撮影レンズ１０１は、焦点距離が長くなるように調整され、電子ビューファインダとしてのＬＣＤ１０６には、「標準」の場合より拡大された被写体の画像が表示される。
【０００８】
このようにして、「標準」、「望遠」のいずれかの焦点距離で被写体の画像を撮影することができる。また、所定の操作ボタン（図示せず）を操作することにより、例えば、図１７に示すような、既に撮影した画像を再生し、ＬＣＤ１０６に表示させることができる。
【０００９】
そして、このとき、ズームボタン１０５を押すことにより、ＬＣＤ１０６に表示されている画像（図１７）を、図１８に示すように、拡大させることができる。
【００１０】
さらに、図１８の画像が表示されている状態で、（−）スイッチ１０３を押すと、図１９に示す、図１７の左部分を拡大した画像が表示され、図１８が表示されている状態で、（＋）スイッチ１０４を押すと、図２０に示す、図１７の右部分を拡大した画像が表示される。
【００１１】
そして、図１８乃至図２０の画像が表示されている状態で、ズームボタン１０５を再度押すことにより、元のサイズの画像（図１７）が表示される。
【００１２】
以上のように、撮影時には、焦点距離切り換えスイッチ１０７を操作することにより、焦点距離が変更され、電子ビューファインダとしてのＬＣＤ１０６に被写体が拡大して表示されるとともに、画像の再生時には、ズームボタン１０５を操作することにより、ＬＣＤ１０６に表示された画像が拡大される。
【発明の開示】
【発明が解決しようとする課題】
【００１３】
しかしながら、ＬＣＤ１０６に表示されている画像を拡大するという同様の操作に、撮影時においては、焦点距離切り換えスイッチ１０７を利用し、画像の再生時においては、ズームボタン１０５を利用するので、ユーザがこれらの操作を混同し易く、誤操作を行い易いという問題を有している。
【００１４】
さらに、このように、２つの操作部（ズームボタン１０５と焦点距離切り換えスイッチ１０７）を設けることにより、操作部の数が増え、装置の外観を損ねるという問題を有している。
【００１５】
本発明は、このような状況に鑑みてなされたもので、同一の操作部を操作することにより、撮影時には、撮影レンズの焦点距離が変更され、再生時には、表示部における画像の倍率が変更されるようにして、誤操作を抑制するとともに、操作部の数を増やさないようにするものである。
【課題を解決するための手段】
【００１６】
請求項１に記載の情報処理装置は、被写体からの光を集光する集光手段と、集光手段により集光された被写体からの光を受光し、電気信号に変換する光電変換手段と、所定の画像データを記憶する記憶手段と、光電変換手段により変換された電気信号に対応する被写体の画像、または、記録手段に記録されている画像データに対応する画像を表示する表示手段と、集光手段の焦点距離を変更するときに操作され、かつ、記録手段に記録されている画像データに対応する画像を、拡大または縮小して表示手段に表示させるときに操作される操作手段と、操作手段における操作に応じて、記録手段に記録されている画像データに対応する画像を拡大または縮小する拡大縮小手段とを備えることを特徴とする。
【００１７】
請求項１に記載の情報処理装置においては、例えば、被写体の撮影時において操作手段が操作されると、集光手段（例えば撮影レンズ）の焦点距離が変更され、記録手段（例えばメモリ）に記録されている画像データに対応する画像の再生時において操作手段が操作されると、再生画像が拡大または縮小して表示手段（例えば液晶ディスプレイ）に表示される。
【発明の効果】
【００１８】
本発明によれば、１つの操作部を操作することにより、被写体の撮影時においては、集光部の焦点距離を変更して表示部に表示されている画像の倍率を変化させ、記録されている画像データの再生時においては、その画像データに対応する画像を、拡大または縮小して表示させるようにしたので、誤操作を抑制するとともに、操作部の数を少なくすることができる。
【発明を実施するための最良の形態】
【００１９】
以下、本発明の実施例を図面を参照して説明する。
【００２０】
図１および図２は、本発明を適用した電子カメラの第１の実施例の構成を示す斜視図である。本実施例の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３（集光手段）、および、被写体を照明する光を発光するストロボ４が設けられている。
【００２１】
一方、面Ｘ１に対向する面Ｘ２の上端部（面Ｘ１のファインダ２、操作レンズ３、ストロボ４が形成されている上端部に対応する位置）には、上記ファインダ２、および、この電子カメラ１に記録されている音声を出力するスピーカ５が設けられている。また、面Ｘ２に形成されているＬＣＤ６（表示手段）および操作キー７は、ファインダ２、撮影レンズ３、ストロボ４およびスピーカ５よりも、鉛直下側に形成されている。ＬＣＤ６の表面上には、ペン型指示部材での接触操作により、指示された位置に対応する位置データを出力する、いわゆるタッチタブレット６Ａが配置されている。
【００２２】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００２３】
操作キー７は、ＬＣＤ６に記録データを再生表示する場合などに操作されるキーであり、ユーザによる操作（入力）を検知し、その操作に対応する信号をＣＰＵ３９（図４）に供給するようになされている。
【００２４】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００２５】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００２６】
面Ｘ２には、ＬＣＤ６を使用していないときに保護する、しゅう動自在なＬＣＤカバー１４が設けられている。ＬＣＤカバー１４は、鉛直上方向に移動させた場合、ＬＣＤ６およびタッチタブレット６Ａを覆うようになされている。また、ＬＣＤカバー１４を鉛直下方向に移動した場合、ＬＣＤ６およびタッチタブレット６Ａが現れるとともに、ＬＣＤカバー１４の腕部１４Ａによって、面Ｙ２に配置された電源スイッチ１１がオン状態に切り換えられるようになされている。
【００２７】
この電子カメラ１の上面である面Ｚには、音声を集音するマイクロホン８、および、図示せぬイヤホンが接続されるイヤホンジャック９が設けられている。
【００２８】
左側面（面Ｙ１）には、被写体を撮像するときに操作されるレリーズスイッチ１０、撮影時において撮影レンズ３の焦点距離を変更するときに操作されるとともに、画像の再生時において表示画像の倍率を変更するときに操作されるズームボタン１５（操作手段）、および、撮影時の連写モードを切り換えるときに操作される連写モード切り換えスイッチ１３が設けられている。このレリーズスイッチ１０および連写モード切り換えスイッチ１３は、面Ｘ１の上端部に設けられているファインダ２、撮影レンズ３およびストロボ４よりも鉛直下側に配置されている。
【００２９】
一方、面Ｙ１に対向する面Ｙ２（右側面）には、音声を録音するときに操作される録音スイッチ１２と、電源スイッチ１１が設けられている。この録音スイッチ１２および電源スイッチ１１は、上記レリーズスイッチ１０および連写モード切り換えスイッチ１３と同様に、面Ｘ１の上端部に設けられているファインダ２、撮影レンズ３およびストロボ４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００３０】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００３１】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００３２】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００３３】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００３４】
ズームボタン１５は、２つのスイッチを内蔵しており、一方のスイッチは、ズームボタン１５の「Ｔ」と印刷された部分が押されている間だけオン状態になり、他方のスイッチは、「Ｗ」と印刷された部分が押されている間だけオン状態になる。いずれも押されていない場合（即ち、ズームボタン１５が操作されていない場合）は、２つのスイッチともオフ状態になる。
【００３５】
そして、被写体の撮影時においては、ズームボタン１５の「Ｔ」と印刷された部分が押されると、一方のスイッチがオン状態になり、それに対応して、撮影レンズ３の一部を移動させ、焦点距離を長くする。一方、被写体の撮影時において、ズームボタン１５の「Ｗ」と印刷された部分が押されると、他方のスイッチがオン状態になり、それに対応して、撮影レンズ３の一部を移動させ、焦点距離を短くする。
【００３６】
このように、撮影時においてズームボタン１５を操作することにより、撮影レンズ３の焦点距離を連続的に変更することができる。また、焦点距離が変更することにより、電子ビューファインダとしてのＬＣＤ６に表示されている被写体の画像の倍率が変化する（焦点距離を長くすると、被写体が拡大して表示され、焦点距離を短くすると、被写体が縮小して表示される）。
【００３７】
また、既に記録されている画像を再生してＬＣＤ６に表示しているときに、ズームボタン１５を操作すると、表示されている画像の拡大または縮小が行われる。既に記録されている画像を再生しているとき、ズームボタン１５の「Ｔ」と印刷された部分が押されると、ズームボタン１５の２つのスイッチのうちの一方がオン状態となり、そのスイッチの状態に対応して、ＬＣＤ６に表示されている画像が拡大される。一方、ズームボタン１５の「Ｗ」と印刷された部分を押すことにより、他方のスイッチがオン状態になり、そのスイッチの状態に対応して、ＬＣＤ６に表示されている画像が縮小される。
【００３８】
次に、電子カメラ１の内部の構成について説明する。図３は、図１および図２に示す電子カメラの内部の構成例を示す斜視図である。ＣＣＤ２０（光電変換手段）は、撮影レンズ３の後段（面Ｘ２側）に設けられており、撮影レンズ３を介して結像する被写体の光画像を電気信号に光電変換するようになされている。
【００３９】
ＬＣＤ６の鉛直下側には、円柱形状の４本のバッテリ（単３の乾電池）２１が縦に並べられており、このバッテリ２１に蓄積されている電力が各部に供給される。さらに、ＬＣＤ６の鉛直下側には、バッテリ２１とともに、ストロボ４に光を発光させるための電荷を蓄積しているコンデンサ２２が配置されている。
【００４０】
回路基板２３には、この電子カメラ１の各部を制御する、種々の制御回路が形成されている。また、回路基板２３と、ＬＣＤ６およびバッテリ２１の間には、挿抜可能なメモリカード２４（記憶手段）が設けられており、この電子カメラ１に入力される各種の情報が、それぞれ、メモリカード２４の予め設定されている領域に記録される。
【００４１】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、ＬＣＤカバー１４の腕部１４Ａによって、電源スイッチ１１とともにオン状態に切り換えられるようになされている。
【００４２】
なお、ＬＣＤカバー１４が鉛直上方向に位置する場合、電源スイッチ１１は、ＬＣＤスイッチ２５とは独立に、ユーザによって操作される。電源スイッチ１１およびＬＣＤスイッチ２５が、両方ともオン状態であるとき、ＬＣＤ６に電力が供給され、ＬＣＤスイッチ２５がオフ状態であるとき（即ち、ＬＣＤカバー１４が閉じているとき）は、ＬＣＤ６は消灯するようになされている（このとき、電源スイッチ１１がオン状態であれば、他の回路には、電力が供給される）。
【００４３】
なお、本実施例においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータに出力することができるようにしてもよい。
【００４４】
次に、本実施例の電子カメラ１の内部の電気的構成を、図４のブロック図を参照して説明する。複数の画素を備えているＣＣＤ２０は、各画素に結像した光画像を画像信号（電気信号）に光電変換するようになされている。ディジタルシグナルプロセッサ（以下、ＤＳＰという）３３は、ＣＣＤ２０にＣＣＤ水平駆動パルスを供給するとともに、ＣＣＤ駆動回路（ＶＤＲＶ）３４を制御し、ＣＣＤ２０にＣＣＤ垂直駆動パルスを供給させるようになされている。
【００４５】
相関二重サンプリング回路（以下、ＣＤＳという）３１は、ＣＰＵ３９（拡大縮小手段）に制御され、ＣＣＤ２０が光電変換した画像信号を所定のタイミングでサンプリングし、そのサンプリングした信号を、内蔵する自動利得調整器（Automatic Gain Controller）（以下、ＡＧＣという）３１Ａで所定のレベルに増幅するようになされている。アナログ／ディジタル変換回路（以下、Ａ／Ｄ変換回路という）３２は、ＣＤＳ３１でサンプリングした画像信号をディジタル化してＤＳＰ３３に供給するようになされている。
【００４６】
圧縮伸張回路およびメモリコントローラ３５は、ＤＳＰ３３、バッファメモリ３６およびメモリカード２４を接続するデータバスを制御し、ＤＳＰ３３に供給された画像信号をバッファメモリ３６のデータ領域（後述）に一旦記憶させ、バッファメモリ３６のデータ領域に記憶されている画像データを読み出し、その画像データを圧縮した後、その圧縮処理された画像データ（以下、単に撮影画像データという）を、メモリカード２４の所定の領域（撮影画像記録領域）に記録するようになされている。
【００４７】
バッファメモリ３６は、データ領域とフレームメモリ領域に分割されている。バッファメモリ３６のデータ領域は、処理の途中のデータを一時的に保持する他、メモリカード２４に対するデータの入出力の速度と、ＣＰＵ３９やＤＳＰ３３などにおける処理速度の違いを緩和するために利用され、バッファメモリ３６のフレームメモリ領域は、ＬＣＤ６の各画素の値を保持するフレームメモリとして使用される。
【００４８】
また、圧縮伸張回路およびメモリコントローラ３５は、ＤＳＰ３３に供給された画像データをバッファメモリ３６のフレームメモリ領域に記憶させ、電子ビューファインダとしてのＬＣＤ６に表示させるとともに、メモリカード２４から撮影画像データを読み出し、その撮影画像データを伸張した後、伸張後の画像データをバッファメモリ３６のフレームメモリ領域に記憶させ、ＬＣＤ６に表示させるようになされている。
【００４９】
この他、圧縮伸張回路およびメモリコントローラ３５は、メモリカード２４への記録、伸張後の画像データのバッファメモリ３６への記憶などにおけるデータ入出力のタイミング管理を行うようになされている。
【００５０】
また、圧縮伸張回路およびメモリコントローラ３５は、図示せぬ時計回路及びバックアップ電池を内蔵しており、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００５１】
マイクロホン８は、音声情報を入力し（音声を集音し）、その音声情報を音声処理回路（音声ＩＣ）４２に供給するようになされている。音声処理回路４２は、供給された音声情報をディジタル化してＣＰＵ３９に出力するようになされている。
【００５２】
ＣＰＵ３９は、ディジタル化された音声情報を圧縮した後、ディジタル化および圧縮化された音声データを一旦、バッファメモリ３６（データ領域）に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００５３】
音声処理回路４２は、ＣＰＵ３９より供給された音声データをアナログ化し、アナログ化した音声信号をスピーカ５に出力するようになされている。
【００５４】
また、ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述する線画情報）を、バッファメモリ３６のデータ領域に蓄積するようになされている。また、ＣＰＵ３９は、バッファメモリ３６に蓄積した線画情報を、線画情報入力日時のヘッダ情報とともに、メモリカード２４の線画情報記録領域に記録するようになされている。
【００５５】
ＣＰＵ３９は、電源スイッチ１１や録音スイッチ１２などの操作スイッチ４０からの信号を受け取り、適宜処理するようになされている。
【００５６】
ＣＰＵ３９は、ストロボ駆動回路３７を制御して、ストロボ４を適宜発光させるようになされている。また、ＣＰＵ３９は、ＡＦ駆動回路３０を制御し、撮影レンズ３の一部のレンズ３Ａを移動させることにより、オートフォーカス動作を行うとともに、操作スイッチ４０のうちのズームボタン１５における操作に応じて、ズーム駆動回路４３を制御し、撮影レンズ３の一部のレンズ３Ｂを移動させることにより、撮影レンズ３の焦点距離を変更するようになされている。
【００５７】
さらに、メモリカード２４に記憶されている画像をＬＣＤ６に表示している場合、ＣＰＵ３９は、ズームボタン１５における操作に応じて、表示している画像の倍率を変更する（拡大または縮小する）。
【００５８】
ＣＰＵ３９は、画像を拡大する場合、バッファメモリ３６のフレームメモリ領域に記憶されている元の画像の各画素の値から、拡大した画像の画素の値を補間することにより、拡大した画像を生成し、その拡大した画像をフレームメモリ領域に記憶させる。一方、画像を縮小する場合、ＣＰＵ３９は、バッファメモリ３６のフレームメモリ領域に記憶されている元の画像の各画素の値から、所定の画素を間引くことにより、縮小した画像を生成し、その縮小した画像をフレームメモリ領域に記憶させる。
【００５９】
なお、この場合（画像の再生時）、ズームボタン１５が操作されても、ＣＰＵ３９は、撮影レンズ３の焦点距離の変更を行わない。
【００６０】
次に、本実施例の電子カメラ１の各種動作について説明する。最初に、本装置による被写体の撮影について説明する。
【００６１】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００６２】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、ＣＤＳ３１によってサンプリングされる。ＣＤＳ３１によってサンプリングされた画像信号は、Ａ／Ｄ変換回路３２に供給され、そこでディジタル化されてＤＳＰ３３に出力される。
【００６３】
ＤＳＰ３３は、その画像データをバッファメモリ３６のデータ領域に出力する。そして、圧縮伸張回路およびメモリコントローラ３５は、バッファメモリ３６より、その画像データを読み出し、離散的コサイン変換、量子化およびハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００６４】
なお、連写モード切り換えスイッチ１３がＳモードに切り換えられている場合においては、１コマの撮影だけが行われ、レリーズスイッチ１０が継続して押され続けても、それ以降の撮影は行われない。また、レリーズスイッチ１０が継続して押され続けると、ＬＣＤ６上に、撮影した画像が表示される。
【００６５】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００６６】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、ＣＤＳ３１によって１秒間に８回の割合でサンプリングされる。また、このとき、ＣＤＳ３１は、ＣＣＤ２０の全画の画像電気信号のうち４分の３の画素を間引く。
【００６７】
すなわち、ＣＤＳ３１は、マトリクス状に配列されているＣＣＤ２０の画素を、図５に示すように、２×２画素（４つの画素）を１つとする領域に分割し、その１つの領域から、所定の位置に配置されている１画素の画像信号をサンプリングし、残りの３画素を間引く。
【００６８】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００６９】
ＣＤＳ３１によってサンプリングされた画像信号（ＣＣＤ２０の全画素中の４分の１の画素の画像信号）は、Ａ／Ｄ変換回路３２に供給され、そこでディジタル化されてＤＳＰ３３に出力される。
【００７０】
ＤＳＰ３３は、ディジタル化された画像信号をバッファメモリ３６のデータ領域に出力し、圧縮伸張回路およびメモリコントローラ３５は、その画像信号を読み出し、ＪＰＥＧ方式に従って圧縮した後、ディジタル化および圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００７１】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００７２】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、ＣＤＳ３１によって１秒間に３０回の割合でサンプリングされる。また、このとき、ＣＤＳ３１は、ＣＣＤ２０の全画素の画像電気信号のうち９分の８の画素を間引く。
【００７３】
すなわち、ＣＤＳ３１は、マトリクス状に配列されているＣＣＤ２０の画素を、図６に示すように、３×３画素を１つとする領域に分割し、その１つの領域から、所定の位置に配置されている１画素の画像電気信号を、１秒間に３０回の割合でサンプリングし、残りの８画素を間引く。
【００７４】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【００７５】
ＣＤＳ３１によってサンプリングされた画像信号（ＣＣＤ２０の全画素中の９分の１の画素の画像信号）は、Ａ／Ｄ変換回路３２に供給され、そこでディジタル化されてＤＳＰ３３に出力される。
【００７６】
ＤＳＰ３３は、ディジタル化された画像信号をバッファメモリ３６のデータ領域に出力し、圧縮伸張回路およびメモリコントローラ３５は、その画像信号を読み出し、ＪＰＥＧ方式に従って圧縮した後、ディジタル化および圧縮処理された撮影画像データを、撮影日時のヘッダ情報を付随して、メモリカード２４の撮影画像記録領域に記録する。
【００７７】
なお、必要に応じて、ストロボ４を動作させ、被写体に光を照射させることもできる。
【００７８】
次に、タッチタブレット６Ａから２次元の情報（ペン入力情報）を入力する場合の動作について説明する。
【００７９】
タッチタブレット６Ａがペン４１のペン先で押圧されると、接触した箇所のＸ−Ｙ座標が、ＣＰＵ３９に入力される。このＸ−Ｙ座標は、バッファメモリ３６のデータ領域に記憶される。また、バッファメモリ３６のフレームメモリ領域における上記Ｘ−Ｙ座標の各点に対応した箇所にデータを書き込み、ＬＣＤ６における上記Ｘ−Ｙ座標に、ペン４１の接触に対応した線画を表示させることができる。
【００８０】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等の線画情報を入力する。
【００８１】
また、ＬＣＤ６上に撮影画像が表示されている場合において、ペン４１によって線画情報が入力されると、この線画情報が、撮影画像情報とともに、バッファメモリ３６のフレームメモリ領域で合成され、ＬＣＤ６上に同時に表示される。
【００８２】
なお、ユーザは、図示せぬ色選択スイッチを操作することによって、ＬＣＤ６上に表示される線画の色を、黒、白、赤、青等の色から選択することができる。
【００８３】
ペン４１によるタッチタブレット６Ａへの線画情報の入力後、操作キー７の実行キー７Ｂが押されると、バッファメモリ３６のデータ領域に蓄積されている線画情報が、入力日時のヘッダ情報とともにメモリカード２４に供給され、メモリカード２４の線画情報記録領域に記録される。
【００８４】
なお、メモリカード２４に記録される線画情報は、圧縮処理の施された情報である。タッチタブレット６Ａに入力された線画情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮および伸張に必要とされる時間が長くなってしまう。さらに、ＪＰＥＧ方式による圧縮は、非可逆圧縮であるので、情報量の少ない線画情報の圧縮には適していない（伸張してＬＣＤ６上に表示した場合、情報の欠落に伴うギャザ、にじみが際だってしまうため）。
【００８５】
そこで、本実施例においては、ファックス等において用いられるランレングス法によって、線画情報を圧縮するようにしている。ランレングス法とは、線画画面を水平方向に走査し、黒、白、赤、青等の各色の情報（点）の継続する長さ、および無情報（ペン入力のない部分）の継続する長さを符号化することにより、線画情報を圧縮する方法である。
【００８６】
このランレングス法を用いることにより、線画情報を最小に圧縮することができ、また、圧縮された線画情報を伸張した場合においても、情報の欠落を抑制することが可能になる。なお、線画情報は、その情報量が比較的少ない場合には、圧縮しないようにすることもできる。
【００８７】
また、上述したように、ＬＣＤ６上に撮影画像が表示されている場合において、ペン入力を行うと、撮影画像データとペン入力の線画情報がバッファメモリ３６のフレームメモリ領域で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【００８８】
メモリカード２４の音声記録領域、撮影画像記録領域、または線画情報記録領域にデータを記録した場合、図７に示すように、ＬＣＤ６に所定の表示が行われる。
【００８９】
図７に示すＬＣＤ６の表示画面上においては、情報を記録した時点の年月日（記録年月日）（この場合、１９９５年８月２５日）が画面の下端部に表示され、その記録年月日に記録された情報の記録時刻が画面の最も左側に表示されている。
【００９０】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」と「１０時２１分」に記録（入力）された情報には、撮影画像情報が含まれており、「１０時０５分」、「１０時２８分」、「１０時５４分」、「１３時１０分」に記録された情報には、画像情報が含まれていない。
【００９１】
また、メモ記号「＊」は、線画情報として所定のメモが記録されていることを表している。
【００９２】
サムネイル画像の表示領域の右側には、音声情報バーが表示され、録音時間の長さに対応する長さのバー（線）が表示される（音声情報が入力されていない場合は、表示されない）。
【００９３】
ユーザは、図７に示すＬＣＤ６の所望の情報の表示ラインのいずれかの部分を、ペン４１のペン先で押圧して再生する情報を選択指定し、図２に示す実行キー７Ｂをペン４１のペン先で押圧することにより、選択した情報を再生する。
【００９４】
例えば、図７に示す「１０時０５分」の表示されているラインがペン４１によって押圧されると、ＣＰＵ３９は、選択された録音日時（１０時０５分）に対応する音声データをメモリカード２４から読み出し、その音声データを伸張した後、音声処理回路４２に供給する。音声処理回路４２は、供給された音声データをアナログ化した後、スピーカ５を介して再生する。
【００９５】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【００９６】
ＣＰＵ３９は、選択された撮影日時に対応する撮影画像データをメモリカード２４から読み出すように、圧縮伸張回路およびメモリコントローラ３５に指示する。圧縮伸張回路およびメモリコントローラ３５は、メモリカード２４より読み出された撮影画像データ（圧縮されている撮影画像データ）を伸張し、この撮影画像データをビットマップデータとしてバッファメモリ３６のフレームメモリ領域に蓄積させ、ＬＣＤ６に表示させる。
【００９７】
Ｓモードで撮影された画像は、ＬＣＤ６上に、静止画像として表示される。この静止画像は、ＣＣＤ２０の全ての画素の画像信号を再生したものであることはいうまでもない。
【００９８】
Ｌモードで撮影された画像は、ＬＣＤ６上において、１秒間に８コマの割合で連続して表示される。このとき、各コマに表示される画素数は、ＣＣＤ２０の全画素数の４分の１である。
【００９９】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの早さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１００】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１０１】
さらに、本実施例においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１０２】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１０３】
本実施例においては、ＬモードまたはＨモードで被写体を撮像する場合、ＣＤＳ３１が、再生時における画質の劣化が気にならない程度にＣＣＤ２０の画素を間引くようにしているので、ＤＳＰ３３と、圧縮伸張回路およびメモリコントローラ３５の負荷を低減することができ、ＤＳＰ３３と、圧縮伸張回路およびメモリコントローラ３５を、低速度、低電力で作動させることができる。また、このようにすることにより、装置の低コスト化および低消費電力化が可能になる。
【０１０４】
このようにして既に記録されている画像がＬＣＤ６に表示されているときに、ズームボタン１５を操作すると、表示画像の拡大または縮小を行うことができる。なお、表示画像の倍率（元の表示画面に対する拡大率または縮小率）は、ズームボタン１５における操作に対応して連続的に設定することができる。
【０１０５】
ところで、本実施例においては、上述したように、メモリカード２４に記録される各種の情報（データ）には、それぞれの情報が入力された日時のデータがヘッダ情報として付随されている。ユーザは、ＬＣＤ６上に表示される日時のデータから、所望の情報を選択して再生することができる（図７）。
【０１０６】
また、複数の情報（撮影画像、音声、線画）が同時に入力された場合、各々の情報は、記録カード２４の所定の領域に別個に記録されるが、その各々の情報には、互いに同一の日時のヘッダ情報が付随している。
【０１０７】
例えば、情報Ａ（撮影画像）、情報Ｂ（音声）、情報Ｃ（線画）が同時に入力された場合、メモリカード２４の所定の領域に記録される各情報Ａ，Ｂ，Ｃは、同一の入力日時のデータをヘッダ情報として各々備えるようにする。また、情報Ａのヘッダ情報を入力日時のデータとし、情報ＢおよびＣのヘッダ情報を、情報Ａに関連する旨のデータとするようにしてもよい。
【０１０８】
以上のようにすることにより、同時に入力された情報は、再生時において、同時に再生される。
【０１０９】
また、本実施例においては、第１の情報（例えば、撮影画像）を記録した後に、第１の情報と異なる第２の情報（例えば、線画）を、第１の情報に追加した形で記録させることもできる。このように、第１の情報に追加して、第２の情報を加える場合、第１の情報を再生した状態で、第２の情報を入力するようにする。以下に、この場合の詳細な説明をする。
【０１１０】
例えば、予め記録されている音声情報が再生されている場合において、レリーズスイッチ１０が押され、被写体の撮影処理が行われると、メモリカード２４の撮影画像記録領域に記録される撮影画像データには、その音声情報の記録が開始された日時のヘッダ情報が付随される。
【０１１１】
また、例えば、１９９５年８月２５日１０時５分に記録が開始された音声情報の再生中において、再生開始から１分経過したとき（すなわち、再生データが１９９５年８月２５日１０時６分のデータになったとき）、撮影処理が行われると、メモリカード２４の撮影画像記録領域に記録される撮影画像データには、１９９５年８月２５日１０時６分のヘッダ情報が付随されるようにすることもできる（なお、開始時刻（１０時５分）をヘッダ情報とするようにしてもよいし、いずれか一方をデフォルトとして登録するようにしてもよい（その選択は、ユーザによってなされる））。
【０１１２】
同様に、予め記録されている音声情報が再生されている場合において、線画情報が入力されると、メモリカード２４の線画情報記録領域には、その線画情報とともに、音声情報の記録日時のヘッダ情報と同一のヘッダ情報が記録される。
【０１１３】
予め、同時に入力された音声情報および撮影画像情報が再生されている場合において、線画情報が入力されると、メモリカード２４の線画情報記録領域には、その線画情報とともに、音声情報（または撮影画像情報）の記録日時のヘッダ情報と同一のヘッダ情報が記録される。
【０１１４】
予め、同時に入力された音声情報および線画情報が再生されている場合において、撮影画像情報が入力されると、メモリカード２４の撮影画像記録領域には、その撮影画像データとともに、音声情報（または線画情報）の記録日時のヘッダ情報と同一のヘッダ情報が記録される。
【０１１５】
予め入力されている撮影画像が再生されている場合において、音声情報が入力されると、メモリカード２４の音声情報記録領域には、その音声データとともに、撮影画像の記録日時のヘッダ情報と同一のヘッダ情報が記録される。
【０１１６】
予め入力されている撮影画像が再生されている場合において、線画情報が入力されると、メモリカード２４の線画情報記録領域には、その線画情報とともに、撮影画像の記録日時のヘッダ情報と同一のヘッダ情報が記録される。
【０１１７】
予め、同時に入力された撮影画像情報および線画情報が再生されている場合において、音声情報が入力されると、メモリカード２４の音声記録領域には、その音声データとともに、撮影画像情報（または線画情報）の記録日時のヘッダ情報と同一のヘッダ情報が記録される。
【０１１８】
予め入力されている線画情報が再生されている場合において、撮影画像情報が入力されると、メモリカード２４の撮影画像記録領域には、その撮影画像データとともに、線画情報の記録日時のヘッダ情報と同一のヘッダ情報が記録される。
【０１１９】
予め入力されている線画情報が再生されている場合において、音声情報が入力されると、メモリカード２４の音声記録領域には、その音声データとともに、線画情報の記録日時のヘッダ情報と同一のヘッダ情報が記録される。
【０１２０】
以上のように、予め記録されている第１の情報が再生されている場合において、第２の情報が入力されると、第１の情報の記録日時が第２の情報のヘッダ情報となる（以下、通常モードという）。このようにすることによって、後から情報を追加しても、元の情報と追加された情報の関係を保つことができる。
【０１２１】
さらに、本実施例においては、予め記録されている第１の情報に第２の情報を追加した場合、第２の情報の入力時刻を第２の情報のヘッダ情報として記録するだけでなく、第１の情報のヘッダ情報を、第２の情報のヘッダ情報で書き換えるようにしてもよい（以下、記録日時変更モードという）。このようにする場合、電子カメラ１に、記録日時のモード切り換えスイッチ（図示せず）をさらに設け、ユーザの選択により記録日時の変更（通常モードと記録日時変更モードの切り換え）が行われるようにする。
【０１２２】
例えば、ユーザが、後日の特定の時刻に、特定の被写体を撮影することを予定しており、その撮影画像についてのコメントを予め線画情報として記録した場合（すなわち、線画情報が第１の情報）、上記の記録日時のモード切り換えスイッチを、記録日時変更モードに切り換え、記録した線画情報を再生しながら上記被写体を撮影する（すなわち、撮影画像が第２の情報）。すると、線画情報（第１の情報）および撮影画像（第２の情報）の両方に、撮影画像（第２の情報）の入力日時がヘッダ情報として付随される。
【０１２３】
また、入力される情報に優先順位を付け、その優先順位に対応させて、各情報に入力時刻のヘッダ情報を付随させるようにしてもよい。
【０１２４】
例えば、撮影画像の優先順位を第１位とし、音声情報の優先順位を第２位とし、線画情報の優先順位を第３位とした場合、予め記録されている線画情報を再生させながら、音声情報を入力すると、メモリカード２４に記録される線画情報および音声情報の両者には、音声情報の入力時刻を含むヘッダ情報が付随される（音声情報の優先順位が線画情報の優先順位よりも上位とされているため）。さらに、その音声情報および線画情報を再生させながら、撮影画像を入力すると、メモリカード２４に記録される線画情報、音声情報、および、撮影画像には、撮影画像の入力時刻を含むヘッダ情報が付随される（撮影画像の優先順位が、他の情報の優先順位よりも上位とされているため）。この優先順位は、ユーザによって設定されるものとしてもよい。
【０１２５】
次に、被写体を撮影しているときに、音声を記録する場合について説明する。
【０１２６】
まず、連写モード切り換えスイッチ１３がＳモード（単写モード）に切り換えられている場合について説明する。最初に、録音スイッチ１２が押されると、音声情報の入力が行われ、メモリカード２４の音声情報記録領域には、音声データとともに、記録開始日時のヘッダ情報が記録される。そして、音声情報の入力中、レリーズスイッチ１０が押されると（Ｓモード）、被写体が１コマ撮影され、その撮影画像データがメモリカード２４に記録される。この撮影画像データには、レリーズスイッチ１０が押されたとき（撮影開始時）の日時のヘッダ情報が付随している。
【０１２７】
一方、最初に、レリーズボタン１０が押されると、被写体が１コマ撮影される。このとき、メモリカード２４に記録される撮影画像データには、撮影時の日時がヘッダ情報として記録される。さらに、レリーズボタン１０が継続して押されていると、撮影した画像が、ＬＣＤ６上に表示される。また、このとき、録音スイッチ１２が押されると、音声情報が入力される。このとき、メモリカード２４の音声情報記録領域に記録される音声データには、撮影したときの日時がヘッダ情報として付随される。
【０１２８】
次に、連写モード切り換えスイッチ１３が、ＬモードまたはＨモード（連写モード）に切り換えられている場合について説明する。最初に、レリーズスイッチ１０が押され、次に録音スイッチ１２が押された場合、および、レリーズスイッチ１０と録音スイッチ１２が同時に押された場合、撮影画像および音声情報は、次に示すように記録される。
【０１２９】
連写モード切り換えスイッチ１３がＬモードに切り換えられている場合においては、１秒間に８コマの撮影が行われ、メモリカード２４の撮影画像記録領域に記録される各コマの撮影画像データには、各々が撮影された日時のヘッダ情報が付随される。従って、各コマのヘッダには、０．１２５秒間隔の日時が記録されることになる。また、このとき、音声情報は０．１２５秒毎に記録され（但し、継続して入力される）、メモリカード２４の音声情報記録領域に記録される音声データにも、０．１２５秒間隔の日時のヘッダ情報が記録される。
【０１３０】
同様に、連写モード切り換えスイッチ１３がＨモードに切り換えられている場合においては、１秒間に３０コマの撮影が行われ、メモリカード２４の撮影画像記録領域に記録される各コマの撮影画像データには、各々が撮影された日時のヘッダ情報が付随される。従って、各コマのヘッダには、１／３０秒間隔の日時が記録されることになる。また、このとき、音声情報は１／３０秒毎に記録され（但し、継続して入力される）、メモリカード２４の音声情報記録領域に記録される音声データにも、１／３０秒間隔の日時のヘッダ情報が記録される。
【０１３１】
以上のようにすることにより、記録後に撮影画像または音声を編集する場合、任意の撮影画像を除去すると、その撮影画像のヘッダ情報と同一のヘッダ情報を有する音声情報も除去することができる。
【０１３２】
一方、連写モード切り換えスイッチ１３が、ＬモードまたはＨモードに切り換えられている場合（連写モードに切り換えられている場合）において、最初に録音スイッチ１２が押され、後からレリーズスイッチ１０が押されると、メモリカード２４に記録される情報には、以下に示すヘッダ情報が記録される。
【０１３３】
すなわち、この場合においては、レリーズスイッチ１０が押されるまでの音声データが、メモリカード２４の音声情報記録領域に、１つのファイルとして記録される。その後、レリーズスイッチ１０が押された場合には、撮影画像の各コマに対応する日時のヘッダ情報が音声データとともに記録される。
【０１３４】
以上のようにして、第１の実施例である電子カメラ１においては、画像、音声、線画情報などが記録される。そして、ズームボタン１５を操作すると、画像の撮影時においては、撮影レンズ３の焦点距離が変更されるとともに、それに応じて表示画像の倍率が変化し、画像の再生時においては、再生画像の倍率が変更される。
【０１３５】
なお、上記実施例においては、被写体の撮影時においてズームボタン１５を操作することにより、撮影レンズ３の焦点距離を変更し、光学的に撮影画像の倍率を変更させているが、ズームボタン１５の操作に対応して、撮影した画像の倍率を電気的に変更させるようにすることもできる。
【０１３６】
次に、本発明を適用した電子カメラの第２の実施例について説明する。
【０１３７】
第２の実施例は、第１の実施例と同様の構成を有し、上述の動作と同様の動作を行う他、タッチタブレット６Ａを利用して、画像の再生時においては、表示画像の拡大または縮小を行うことができ、撮影時においては、撮影レンズ３の焦点距離を変化させることができる。また、画像の再生時においては、タッチタブレット６Ａを操作することにより、表示画像における拡大する部分の選択を行うこともできる。
【０１３８】
次に、画像の再生時において、タッチタブレット６Ａに対する操作に応じて、表示画像を拡大または縮小させる場合の本実施例の動作について説明する。
【０１３９】
例えば、図８に示すように、ＬＣＤ６に所定の画像が表示されているとき、ペン４１のペン先をＬＣＤ６（タッチタブレット６Ａ）の所定の位置（ドラッグ開始点（例えば図８の点ａ））に押圧し、外側方向の所定の位置（ドラッグ終了点（例えば図８の点ｂ））まで、ペン先をＬＣＤ６（タッチタブレット６Ａ）に押圧した状態で移動させる（ドラッグさせる）。
【０１４０】
このとき、ＣＰＵ３９は、タッチタブレット６Ａからドラッグ開始点とドラッグ終了点の座標値を受け取り、このドラッグの距離（ドラッグ開始点からドラッグ終了点までの距離）と、ドラッグの方向（ＬＣＤ６の長辺の右方向を０度としたときの、ドラッグ開始点に対するドラッグ終了点の角度）を算出し、ドラッグの方向が所定の角度範囲内にある場合、図９に示すように、ドラッグ開始点（図８の点ａ）がＬＣＤ６の中心に表示されるようにして、ドラッグの距離に比例した倍率で画像を拡大する。
【０１４１】
一方、図１０に示すように、ペン４１のペン先を、点ｃ（ドラッグ開始点）から点ｄまで、ＬＣＤ６の中心方向に向かってドラッグした場合、ＣＰＵ３９は、このドラッグの距離と、ドラッグの方向を算出し、ドラッグの方向が所定の角度範囲内にあるとき、図１１に示すように、ドラッグ開始点（図１０の点ｃ）がＬＣＤ６の中心に表示されるようにして、ドラッグの距離に比例した倍率で画像を縮小する。
【０１４２】
なお、画像を縮小したために生じるＬＣＤ６の余白には、予め設定されている背景（壁紙）７２が表示される。また、画像を縮小した場合、縮小された画像の上方にセンタリングボタン７１が表示され、このボタン７１をペン４１で押圧すると、図１２に示すように、画像の中心がＬＣＤ６の中心に配置されて、縮小した画像全体が表示される。
【０１４３】
次に、ペン４１によるドラッグの方向と、表示画像の拡大および縮小との対応関係について、図１３を参照して説明する。
【０１４４】
最初に、タッチタブレット６Ａ（ＬＣＤ６）を、右上、右下、左上、左下の４つの領域Ａ乃至Ｄに分割する。そして、図１３（ａ）に示すように、ドラッグ開始点が領域Ａにあり、かつ、ドラッグの方向が０度乃至９０度の範囲内にある場合、ＣＰＵ３９は、そのドラッグ開始点の画像がＬＣＤ６の中心に表示されるようにするとともに、ドラッグの距離に対応する倍率で画像を拡大する。一方、ドラッグ開始点が領域Ａにあり、かつ、ドラッグの方向が１８０度乃至２７０度の範囲内にある場合、ＣＰＵ３９は、そのドラッグ開始点の画像がＬＣＤ６の中心に表示されるようにするとともに、ドラッグの距離に対応する倍率で画像を縮小する。
【０１４５】
次に、図１３（ｂ）に示すように、ドラッグ開始点が領域Ｂにあり、かつ、ドラッグの方向が２７０度乃至３６０度（即ち０度）の範囲内にある場合、ＣＰＵ３９は、そのドラッグ開始点の画像がＬＣＤ６の中心に表示されるようにするとともに、ドラッグの距離に対応する倍率で画像を拡大する。一方、ドラッグ開始点が領域Ｂにあり、かつ、ドラッグの方向が９０度乃至１８０度の範囲内にある場合、ＣＰＵ３９は、そのドラッグ開始点の画像がＬＣＤ６の中心に表示されるようにするとともに、ドラッグの距離に対応する倍率で画像を縮小する。
【０１４６】
また、図１３（ｃ）に示すように、ドラッグ開始点が領域Ｃにあり、かつ、ドラッグの方向が９０度乃至１８０度の範囲内にある場合、ＣＰＵ３９は、そのドラッグ開始点の画像がＬＣＤ６の中心に表示されるようにするとともに、ドラッグの距離に対応する倍率で画像を拡大する。一方、ドラッグ開始点が領域Ｃにあり、かつ、ドラッグの方向が２７０度乃至３６０度（即ち０度）の範囲内にある場合、ＣＰＵ３９は、そのドラッグ開始点の画像がＬＣＤ６の中心に表示されるようにするとともに、ドラッグの距離に対応する倍率で画像を縮小する。
【０１４７】
そして、図１３（ｄ）に示すように、ドラッグ開始点が領域Ｄにあり、かつ、ドラッグの方向が１８０度乃至２７０度の範囲内にある場合、ＣＰＵ３９は、そのドラッグ開始点の画像がＬＣＤ６の中心に表示されるようにするとともに、ドラッグの距離に対応する倍率で画像を拡大する。一方、ドラッグ開始点が領域Ｄにあり、かつ、ドラッグの方向が０度乃至９０度の範囲内にある場合、ＣＰＵ３９は、そのドラッグ開始点の画像がＬＣＤ６の中心に表示されるようにするとともに、ドラッグの距離に対応する倍率で画像を縮小する。
【０１４８】
なお、ドラッグの方向が、上述のように設定された範囲内にない場合、画像の拡大および縮小は行われない。
【０１４９】
あるいは、ペン４１によるドラッグの方向と、表示画像の拡大または縮小との対応関係を、図１４に示すように設定することもできる。最初に、タッチタブレット６Ａ（ＬＣＤ６）を、右上、右下、左上、左下の４つの領域Ａ乃至Ｄに分割する。
【０１５０】
そして、図１４（ａ）に示すように、ドラッグ開始点が領域Ａにあり、かつ、ドラッグの方向が３１５度乃至１３５度の範囲内（３１５度乃至３６０度の範囲内または０度乃至１３５度の範囲内）にある場合、ＣＰＵ３９は、そのドラッグ開始点の画像がＬＣＤ６の中心に表示されるようにするとともに、ドラッグの距離に対応する倍率で画像を拡大する。一方、ドラッグ開始点が領域Ａにあり、かつ、ドラッグの方向が１３５度乃至３１５度の範囲内にある場合、ＣＰＵ３９は、そのドラッグ開始点の画像がＬＣＤ６の中心に表示されるようにするとともに、ドラッグの距離に対応する倍率で画像を縮小する。
【０１５１】
次に、図１４（ｂ）に示すように、ドラッグ開始点が領域Ｂにあり、かつ、ドラッグの方向が２２５度乃至４５度の範囲内（２２５度乃至３６０度の範囲内または０度乃至４５度の範囲内）にある場合、ＣＰＵ３９は、そのドラッグ開始点の画像がＬＣＤ６の中心に表示されるようにするとともに、ドラッグの距離に対応する倍率で画像を拡大する。一方、ドラッグ開始点が領域Ｂにあり、かつ、ドラッグの方向が４５度乃至２２５度の範囲内にある場合、ＣＰＵ３９は、そのドラッグ開始点の画像がＬＣＤ６の中心に表示されるようにするとともに、ドラッグの距離に対応する倍率で画像を縮小する。
【０１５２】
また、図１４（ｃ）に示すように、ドラッグ開始点が領域Ｃにあり、かつ、ドラッグの方向が４５度乃至２２５度の範囲内にある場合、ＣＰＵ３９は、そのドラッグ開始点の画像がＬＣＤ６の中心に表示されるようにするとともに、ドラッグの距離に対応する倍率で画像を拡大する。一方、ドラッグ開始点が領域Ｃにあり、かつ、ドラッグの方向が２２５度乃至４５度の範囲内（２２５度乃至３６０度の範囲内または０度乃至４５度の範囲内）にある場合、ＣＰＵ３９は、そのドラッグ開始点の画像がＬＣＤ６の中心に表示されるようにするとともに、ドラッグの距離に対応する倍率で画像を縮小する。
【０１５３】
そして、図１４（ｄ）に示すように、ドラッグ開始点が領域Ｄにあり、かつ、ドラッグの方向が１３５度乃至３１５度の範囲内にある場合、ＣＰＵ３９は、そのドラッグ開始点の画像がＬＣＤ６の中心に表示されるようにするとともに、ドラッグの距離に対応する倍率で画像を拡大する。一方、ドラッグ開始点が領域Ｄにあり、かつ、ドラッグの方向が３１５度乃至１３５度の範囲内（３１５度乃至３６０度の範囲内または０度乃至１３５度の範囲内）にある場合、ＣＰＵ３９は、そのドラッグ開始点の画像がＬＣＤ６の中心に表示されるようにするとともに、ドラッグの距離に対応する倍率で画像を縮小する。
【０１５４】
このようにすることにより、表示画像のうち、所望の部分を拡大することができる。なお、ペン４１で、タッチタブレット６Ａ（ＬＣＤ６）の任意の位置を２回連続してピックすることにより、元の倍率の表示画像に戻すことができる。
【０１５５】
次に、被写体の撮影時において、タッチタブレット６Ａに対する操作に応じて、撮影レンズ３の焦点距離を変更させる場合の本実施例の動作について説明する。
【０１５６】
被写体の撮影時においては、上述の再生画像の倍率を変更する操作と同様に、ＣＰＵ３９は、タッチタブレット６Ａにおけるドラッグの距離と方向を検出する。そして、ＣＰＵ３９は、ドラッグの方向に応じて、焦点距離の変更の方向（焦点距離を長くするか、あるいは、短くするか）を判断し、ドラッグの距離に対応して、撮影レンズ３の焦点距離を変更させる。
【０１５７】
このときのドラッグの方向と焦点距離の変更の方向との対応関係は、画像の再生時におけるドラッグの方向と表示画像の倍率の変更方向（拡大あるいは縮小）との対応関係（図１３または図１４）と同様に設定されている。即ち、画像の再生時に表示画像を拡大する操作と同一の操作が、撮影時に、タッチタブレット６Ａに対して行われた場合、ＣＰＵ３９は、ズーム駆動回路４３を制御し、撮影レンズ３の焦点距離を増加させる。一方、画像の再生時に表示画像を縮小する操作と同一の操作が撮影時に行われた場合、ＣＰＵ３９は、ズーム駆動回路４３を制御し、撮影レンズ３の焦点距離を減少させる。
【０１５８】
なお、画像の再生時においては、ドラッグの開始点の画像をＬＣＤ６の中心に表示するようにしているが、撮影時においては、撮影レンズ３の焦点距離を変更するだけである。
【０１５９】
また、タッチタブレット６Ａに対する操作により、焦点距離が、予め設定されている上限値より長くなってしまう場合、ＣＰＵ３９は、撮影レンズ３の一部のレンズ３Ｂを、焦点距離が上限値になるように移動させた後、デジタルズームに切り替え、ＣＣＤ２０で受光された被写体の画像信号に対して信号処理を行い、被写体の画像の倍率を電気的に変更することにより、上限値を超えた分に対応する倍率で、被写体の画像を拡大して、電子ビューファインダとしてのＬＣＤ６に表示させる。
【０１６０】
一方、タッチタブレット６Ａに対する操作により、焦点距離が、予め設定されている下限値より短くなってしまう場合、ＣＰＵ３９は、撮影レンズ３の一部のレンズ３Ｂを、焦点距離が下限値になるように移動させる。このとき、特に、デジタルズームを利用して、被写体の画像を縮小する動作は行われない。
【０１６１】
以上のようにして、第２の実施例である電子カメラ１においては、第１の実施例と同様に、ズームボタン１５を操作すると、画像の撮影時においては、撮影レンズ３の焦点距離が変更されるとともに、それに応じて表示画像の倍率が変化し、画像の再生時においては、再生画像の倍率が変更される他、タッチタブレット６Ａを操作することにより、画像の撮影時における撮影レンズ３の焦点距離の変更、および、画像の再生時における表示画像の倍率の変更を行うことができる。
【０１６２】
なお、第２の実施例においては、タッチタブレット６Ａに対する操作により、焦点距離が、予め設定されている上限値より長くなってしまう場合、撮影レンズ３の一部のレンズ３Ｂを、焦点距離が上限値になるように移動させた後、デジタルズームに切り替えるようにしているが、撮影レンズ３の一部のレンズ３Ｂを、焦点距離が上限値になるように移動させるだけで、特にデジタルズームを利用しないようにすることもできる。その場合、ＬＣＤ６に表示される被写体の画像は、焦点距離が上限値であるときの被写体の画像より高い倍率で拡大されることはない。
【０１６３】
また、上記実施例においては、焦点距離を変更することが可能なズームレンズ（撮影レンズ３）を設けた電子カメラについて説明したが、焦点距離が固定されている単焦点レンズの電子カメラであっても、第２の実施例で説明したデジタルズームが可能な電子カメラであれば、本発明を適用して、ズームボタン１５あるいはタッチタブレット６Ａを操作することにより、再生時の画像の倍率および撮影時の被写体の画像の倍率を変更させるようにすることができる。
【図面の簡単な説明】
【０１６４】
【図１】本発明を適用した電子カメラの一実施例の正面から見た場合の構成を示す斜視図である。
【図２】図１に示す電子カメラ１の背面から見た場合の構成を示す斜視図である。
【図３】図１および図２に示す電子カメラ１の内部の構成を示す斜視図である。
【図４】図１および図２に示す電子カメラの内部の電気的構成を示すブロック図である。
【図５】Ｌモード時における画素の間引き処理を説明する図である。
【図６】Ｈモード時における画素の間引き処理を説明する図である。
【図７】図１および図２に示す電子カメラの表示画面の例を示す図である。
【図８】表示画像を拡大する場合におけるドラッグを説明する図である。
【図９】図８の表示画像を拡大したときの画像の一例を示す図である。
【図１０】表示画像を縮小する場合におけるドラッグを説明する図である。
【図１１】図１０の表示画像を縮小したときの画像の一例を示す図である。
【図１２】図１０の表示画像を縮小したときの画像の他の例を示す図である。
【図１３】ドラッグの方向と画像の拡大および縮小との対応関係の一例を説明する図である。
【図１４】ドラッグの方向と画像の拡大および縮小との対応関係の他の例を説明する図である。
【図１５】従来の電子カメラの正面から見た場合の構成を示す斜視図である。
【図１６】図１５に示す従来の電子カメラの背面から見た場合の構成を示す斜視図である。
【図１７】図１５および図１６に示す従来の電子カメラにおける表示画像の一例を示す図である。
【図１８】図１７の表示画像の中央を拡大した図である。
【図１９】図１７の表示画像の左側を拡大した図である。
【図２０】図１７の表示画像の右側を拡大した図である。
【符号の説明】
【０１６５】
１  電子カメラ
２  ファインダ
３  撮影レンズ
４  ストロボ
５  スピーカ
６  ＬＣＤ
６Ａ  タッチタブレット
７  操作キー
７Ａ  メニューキー
７Ｂ  実行キー
７Ｃ  クリアキー
７Ｄ  キャンセルキー
７Ｅ  スクロールキー
８  マイクロホン
９  イヤホンジャック
１０  レリーズスイッチ
１１  電源スイッチ
１２  録音スイッチ
１３  連写モード切り換えスイッチ
１５  ズームボタン
２０  ＣＣＤ
２１  バッテリ
２２  コンデンサ
２３  回路基板
２４  メモリカード
３１  相関二重サンプリング回路（ＣＤＳ）
３１Ａ  自動利得調整器（ＡＧＣ）
３２  アナログ／ディジタル変換回路
３３  ディジタルシグナルプロセッサ（ＤＳＰ）
３４  ＣＣＤ駆動回路
３５  圧縮伸張回路およびメモリコントローラ
３６  バッファメモリ
３９  ＣＰＵ
４１  ペン
４２  音声処理回路
４３  ズーム駆動回路
【図１】
2005020786.tif 000003
【図２】
2005020786.tif 000004
【図３】
2005020786.tif 000005
【図４】
2005020786.tif 000006
【図５】
2005020786.tif 000007
【図６】
2005020786.tif 000008
【図７】
2005020786.tif 000009
【図８】
2005020786.tif 000010
【図９】
2005020786.tif 000011
【図１０】
2005020786.tif 000012
【図１１】
2005020786.tif 000013
【図１２】
2005020786.tif 000014
【図１３】
2005020786.tif 000015
【図１４】
2005020786.tif 000016
【図１５】
2005020786.tif 000017
【図１６】
2005020786.tif 000018
【図１７】
2005020786.tif 000019
【図１８】
2005020786.tif 000020
【図１９】
2005020786.tif 000021
【図２０】
2005020786.tif 000022